(57)【要約】  【課題】使用者が、内部に収容された収容物や収容物に関する分類等の情報を、収容物それ自体を視認する以外の方法で把握し得るファイルを提供する  【解決手段】ファイルＡは、一辺部ｈ１のみが開放可能な袋状をなすファイル本体１を備えたものであり、ファイル本体１の一辺部ｈ１以外の閉じられた複数の他辺部ｈ３の一つに沿って位置し内部に見出し要素Ｍが配される見出し用ポケットが設けられている。ファイル本体１が、一辺部ｈ１に略矩形状をなす一対のシート部材間に形成された収納空間を開閉し得るファスナー３を設けたものである。このようなものであれば、使用者が、内部に収容された収容物やその分類等を、収容物それ自体を視認する以外の方法すなわち見出し要素Ｍによって把握し得るものとなる。【選択図】図１
2019030969.tif 000002
【特許請求の範囲】
【請求項１】
一辺部のみが開放可能な袋状をなすファイル本体を備えたファイルであって、
前記ファイル本体が、前記一辺部に収容物を収容し得る収納空間を開閉し得るファスナーが設けられたものであり、
前記ファイル本体の前記一辺部以外の閉じられた複数の他辺部の一つに沿って位置し内部に見出し要素が配される見出し用ポケットが設けられているファイル。
【請求項２】
前記ファイル本体が、略矩形状をなす一対のシート部材間に収容物を収容し得る前記収納空間を形成したものであり、
前記見出し用ポケットが、外面側のシート、及び、この外面側のシート内に位置する内面側のシートによって形成されており、
前記見出し用ポケットが、少なくとも一端部に前記見出し要素を挿入し得る挿入口を備えている請求項１記載のファイル。
【請求項３】
前記内面側のシートが、前記挿入口に臨む角部に切欠部を形成したものであり、
前記内面側のシートを構成する前記一対のシート部材同士が、前記切欠部の縁に沿って相互に溶着されている請求項２記載のファイル。
【請求項４】
用紙を二つ折りにしてなる前記見出し要素を、前記見出し用ポケットを構成する内面側のシートと外面側のシートとの間に配設し得るように構成されたものであり、
前記外面側のシートが、前記挿入口を形成する部位に凹欠部を備えたものであり、この凹欠部から前記内面側のシートにおける切欠部の角が露出し得るように構成されている請求項３記載のファイル。
【請求項５】
少なくとも前記外面側のシートが、透光性を有するものである請求項２、３又は４記載のファイル。
【請求項６】
前記ファイル本体が、略矩形状をなす一対のシート部材間に形成された収納空間を開閉し得るファスナーを備え、このファスナーにより開放可能な前記一辺部に隣接した他辺部に沿って前記見出し用ポケットが設けられており、
前記見出し用ポケットにおける反ファスナー側に、前記見出し要素を挿入し得る挿入口が設けられている請求項１、２、３、４又は５記載のファイル。
【請求項７】
前記一対のシート部材同士が、折り曲げ線を介して一体に連設されてなるものであり、
前記折り曲げ線が、前記ファイル本体の他辺部である底辺部を構成するものであり、
前記底辺部に隣接した前記ファイル本体における左右の側辺部が、前記一対のシート部材における側端部同士を溶着することにより形成されている請求項６記載のファイル。
【発明の詳細な説明】
【技術分野】
【０００１】
本発明は、袋状をなしたファイルに関する。
【背景技術】
【０００２】
従来から、ファスナー等により開閉可能である袋状をなしたファイルが知られている（例えば、非特許文献１を参照）。
【０００３】
従来のものは、収納空間に収容された収容物（例えば、用紙や物品等）やその情報を確認しようとする場合、収容物それ自体を視認して確認していた。特に、他のファイルと立てた状態で並べて置かれている場合には、確認することが面倒なものとなっていた。
【先行技術文献】
【特許文献】
【０００４】
【非特許文献１】“チャックポケットファイルα”，コクヨ総合カタログ２０１７年版ステーショナリー編，コクヨ株式会社，平成２８年１２月，ｐ．１８２
【発明の概要】
【発明が解決しようとする課題】
【０００５】
本発明は、以上のような事情に着目してなされたもので、少なくとも、使用者が、内部に収容された収容物や収容物に関する分類等の情報を、収容物それ自体を視認する以外の方法で把握し得るファイルを提供することにある。
【課題を解決するための手段】
【０００６】
すなわち、本発明は次の構成をなしている。
【０００７】
請求項１に記載の発明は、一辺部のみが開放可能な袋状をなすファイル本体を備えたファイルであって、前記ファイル本体が、前記一辺部に収容物を収容し得る収納空間を開閉し得るファスナーが設けられたものであり、前記ファイル本体の前記一辺部以外の閉じられた複数の他辺部の一つに沿って位置し内部に見出し要素が配される見出し用ポケットが設けられているファイルである。
【０００８】
請求項２に記載の発明は、前記ファイル本体が、略矩形状をなす一対のシート部材間に収容物を収容し得る前記収納空間を形成したものであり、前記見出し用ポケットが、外面側のシート、及び、この外面側のシート内に位置する内面側のシートによって形成されており、前記見出し用ポケットが、少なくとも一端部に前記見出し要素を挿入し得る挿入口を備えている請求項１記載のファイルである。
【０００９】
請求項３に記載の発明は、前記内面側のシートが、前記挿入口に臨む角部に切欠部を形成したものであり、前記内面側のシートを構成する前記一対のシート部材同士が、前記切欠部の縁に沿って相互に溶着されている請求項２記載のファイルである。
【００１０】
請求項４に記載の発明は、用紙を二つ折りにしてなる前記見出し要素を、前記見出し用ポケットを構成する内面側のシートと外面側のシートとの間に配設し得るように構成されたものであり、前記外面側のシートが、前記挿入口を形成する部位に凹欠部を備えたものであり、この凹欠部から前記内面側のシートにおける切欠部の角が露出し得るように構成されている請求項３記載のファイルである。
【００１１】
請求項５に記載の発明は、少なくとも前記外面側のシートが、透光性を有するものである請求項２、３又は４記載のファイルである。
【００１２】
請求項６に記載の発明は、前記ファイル本体が、略矩形状をなす一対のシート部材間に形成された収納空間を開閉し得るファスナーを備え、このファスナーにより開放可能な前記一辺部に隣接した他辺部に沿って前記見出し用ポケットが設けられており、前記見出し用ポケットにおける反ファスナー側に、前記見出し要素を挿入し得る挿入口が設けられている請求項１、２、３、４又は５記載のファイルである。
【００１３】
請求項７に記載の発明は、前記一対のシート部材同士が、折り曲げ線を介して一体に連設されてなるものであり、前記折り曲げ線が、前記ファイル本体の他辺部である底辺部を構成するものであり、前記底辺部に隣接した前記ファイル本体における左右の側辺部が、前記一対のシート部材における側端部同士を溶着することにより形成されている請求項６記載のファイルである。
【発明の効果】
【００１４】
以上説明したように本発明によれば、少なくとも、使用者が、内部に収容された収容物や収容物に関する分類等の情報を、収容物それ自体を視認する以外の方法で把握し得るファイルを提供することができる。
【図面の簡単な説明】
【００１５】
【図１】本発明の一実施形態を示す斜視図。
【図２】同実施形態における正面図。
【図３】同実施形態における背面図。
【図４】同実施形態におけるファイル本体の展開図。
【図５】同実施形態におけるファイル本体の正面図。
【図６】同実施形態における作用説明用の部分拡大正面図。
【図７】同実施形態における作用説明用の部分拡大正面図。
【図８】同実施形態における作用説明用の部分拡大正面図。
【図９】図８におけるＸ−Ｘ線概略断面図。
【発明を実施するための形態】
【００１６】
以下、本発明の一実施形態を、図１〜９を参照して説明する。
【００１７】
この実施形態は、本発明を、袋の機能を有したファイルＡに適用したものである。ファイルＡは、例えば、チャックポケットファイル（又は、単にチャックポケット）と称されるものである。
【００１８】
ファイルＡは、一辺部である上辺部ｈ１のみが開放可能な袋状をなすファイル本体１を備えている。ファイルＡは、ファイル本体１の上辺部ｈ１以外の閉じられた複数の他辺部（底辺部ｈ４、及び、左右の側辺部ｈ２、ｈ３）の一つ、この実施形態では、右の側辺部ｈ３に沿って位置し内部に見出し要素Ｍが配される見出し用ポケットＰが設けられている。
【００１９】
以下、このファイルＡについて詳述する。
【００２０】
ファイル本体１は、袋状をなしている。ファイル本体１は、略矩形状をなす一対のシート部材１１間に文房具や紙等の収容物（図示せず）を収容し得る収納空間ｓｐを形成したものである。ファイル本体１の一辺部である上辺部ｈ１、すなわち、一対のシート部材１１における上端縁には、収納空間ｓｐを開閉し得るファスナー３が設けられている。この実施形態では、ファイル本体１は、合成樹脂により作られたものである。一対のシート部材１１は、透光性を有したものである。
【００２１】
図４の展開図に示すように、ファイル本体１を形成する一対のシート部材１１同士は、折り曲げ線ｓ１を介して一体に連設されてなる。この実施形態では、折り曲げ線ｓ１は、ファイル本体１の底辺部ｈ４を構成している。ファイル本体１において底辺部ｈ４に隣接した左右の側辺部ｈ２、ｈ３は、一対のシート部材１１における側端縁ｅｓ同士を溶着することにより形成されている。
【００２２】
ファスナー３は、ファイル本体１における開放可能な上辺部ｈ１に設けられたものである。この実施形態では、ファスナー３は合成樹脂製のものである。ファスナー３は、一対のシート部材１１における各上端縁ｅｊに溶着された対をなすファスナー要素３１と、スライド動作によって対をなすファスナー要素３１同士を密着した状態させたり対をなすファスナー要素３１を離間した状態にさせたりするスライダー３２とを備えた通常のものである。
【００２３】
見出し用ポケットＰは、少なくとも長手方向一端部である下端部に見出し要素Ｍを挿入し得る挿入口ｇを備えている。見出し用ポケットＰは、ファイル本体１における右の側辺部ｈ３を覆うように設けられた外面側のシート２、及び、この外面側のシート２内に位置しファイル本体１の一部となる右側端部を構成する内面側のシート１ｎによって形成されている。
【００２４】
外面側のシート２は、合成樹脂製のものであり、少なくとも見出し要素Ｍを透視し得る透光性を有するものである。外面側のシート２は、見出し用ポケットＰの挿入口ｇを形成する部位に、見出し要素Ｍを挿脱しやすくするための凹欠部２２を備えている。外面側のシート２は、ファイル本体１に二つ折りの形態をなして止着されている。図２、及び、図３に示すように、凹欠部２２は、二つ折りの形態をなす外面側のシート２における正面側にのみ形成されている。外面側のシート２における対をなす側端部は、溶着部２１においてファイル本体１を構成する一対のシート部材１１の外面側にそれぞれ溶着されている。外面側のシート２の溶着部２１は、略直線状をなしており、ファイル本体１における右の側辺部ｈ３と略平行に形成されている。
【００２５】
なお、この明細書で、「透光性」とは、見出し要素Ｍに記載された情報を判読し得る程度に光を透過させ得る性質を意味している。
【００２６】
内面側のシート１ｎは、挿入口ｇに臨む角部に切欠部ｋを形成したものである。図４、及び、図５に示すように、内面側のシート１ｎを構成する一対のシート部材１１の側端縁ｅｓ同士は溶着により接続されている。内面側のシート１ｎを構成する一対のシート部材１１は、切欠部ｋの縁に沿っても相互に溶着されている。
【００２７】
切欠部ｋは、外面側のシート２に設けられた凹欠部２２から露出し当該切欠部ｋの角部を構成する曲縁部分ｋ１と、この曲縁部分ｋ１に連続して直線状に延びてなり外面側シート２の内側に位置するとともに外面側のシート２の折り曲げ線２ｓと略平行をなす直線縁部分ｋ２と、この直線縁部分ｋ２に連続して斜め外方に向かって直線状に延び一対のシート部材１１において折り曲げ線２ｓに対して最も近く位置した側端縁ｅｓに連続する傾斜縁部分ｋ３とを備えている。
【００２８】
ファイルＡは、用紙を二つ折りにしてなる見出し要素Ｍを、見出し用ポケットＰを構成する内面側のシート１ｎと外面側のシート２との間に配設し得るように構成されている。換言すれば、見出し要素Ｍは、長方形状の用紙を二つ折りにしてなるものであり、外面側のシート２の内面側において、内面側のシート１ｎを跨ぐように配設されるものである。
【００２９】
ファイルＡは、外面側のシート２に設けられた凹欠部２２から内面側のシート１ｎに設けられた切欠部ｋの角部が露出し得るように構成されている。
【００３０】
以上の構成をなすファイルＡにおいて、見出し用ポケットＰに見出し要素Ｍを装着する操作は、例えば、次のようにして行われる。
【００３１】
図２に示すように、ファイルＡの見出し用ポケットＰは、内面側のシート１ｎの切欠部ｋの角部を構成する曲縁部分ｋ１が、挿入口ｇから露出したものとなっている。より具体的に言えば、見出し用ポケットＰを構成する外面側のシート２に凹欠部２２が形成されているため、内面側のシート１ｎに形成された切欠部ｋの下端部が外面側のシート２に被覆されることなく外部に表出したものとなっている。
【００３２】
使用者は、まず、図６に示すように、外方に露出している内面側のシート１ｎの切欠部ｋの曲縁部分ｋ１に、用紙を二つ折りにしてなる見出し要素Ｍを跨がせて、当該見出し要素Ｍにおける折り線部分ｍ１の谷側を切欠部ｋにおける角部の曲縁部分ｋ１に係わり合わせる。
【００３３】
次いで、図７に示すように、切欠部ｋの角部に係わり合わせた見出し要素Ｍを挿入方向である上方に向けて押圧すると、この切欠部ｋの曲縁部分ｋ１にガイドされて見出し要素Ｍが外面側のシート２の内側に無理なくスムーズに入り込む。切欠部ｋの曲線部分ｋ１を通過した見出し要素Ｍは、その後、切欠部ｋの直線縁部分ｋ２と外面側のシート２における折り曲げ線２ｓとの間に形成された隙間ｓｋを通過し、見出し用ポケットＰの内部に向かってスムーズに挿入される。次いで、見出し要素Ｍにおける折り線部分ｍ１は、直線縁部分ｋ２に連続して設けられた傾斜縁部分ｋ３にガイドされて内面側シート１ｎの側端縁ｅｓに移動した結果、見出し用ポケットＰ内の適切な位置に誘導されることになる。つまり、見出し要素Ｍは、見出し用ポケットＰ内に円滑に挿入されることになる。
【００３４】
最終的に、図８に示すように、見出し要素Ｍは、見出し用ポケットＰ内、すなわち、内面側のシート１ｎと外面側のシート２との間に挟まれて保持されることになる。
【００３５】
なお、図８に示すように、外面側のシート２の挿入口ｇに臨む部位には、凹欠部２２が設けられているため、見出し用ポケットＰ内に装着された見出し要素Ｍの下端を手指で摘みやすくなっている。このため、使用者は、見出し要素Ｍを、見出し用ポケットＰから容易に下方に引き出して取り出すことができるようになっている。
【００３６】
このように、ファイルＡは、袋型のファイル本体１を有するものであるにも関わらず、見出し要素Ｍを装着することができる見出し用ポケットＰを備えているのであるため、収容物の把握やファイルＡの整理を見出し要素Ｍに基づいて好適に行うことができるものとなっている。
【００３７】
以上説明したように、本実施形態に係るファイルＡは、一辺部である上辺部ｈ１のみが開放可能な袋状をなすファイル本体１を備えたものである。そして、ファイル本体１の上辺部ｈ１以外の閉じられた複数の他辺部の一つである右の側辺部ｈ３に沿って位置し内部に見出し要素Ｍが配される見出し用ポケットＰが設けられている。このため、使用者が、内部に収容された収容物や収容物に関する分類等の情報を、収容物それ自体を視認する以外の方法で把握し得るファイルＡを提供することができるものとなる。
【００３８】
ファイル本体１が、略矩形状をなす一対のシート部材１１間に収容物を収容し得る収納空間ｓｐを形成したものであり、一辺部である上辺部ｈ１に収納空間ｓｐを開閉し得るファスナー３が設けられている。そして、見出し用ポケットＰが、ファイル本体１における他辺部である右の側辺部ｈ３を覆うように設けられた外面側のシート２、及び、この外面側のシート２内に位置しファイル本体１の一部を構成する内面側のシート１ｎによって形成されている。見出し用ポケットＰは、少なくとも一端部である下端部に見出し要素Ｍを挿入し得る挿入口ｇを備えている。このようなものであれば、ファスナー３により収納空間ｓｐを好適に開閉し得るものとなっているだけでなく、外面側のシート２と内面側のシート１ｎとが協働して見出し要素Ｍを好適に保持し得るものとなっている。
【００３９】
内面側のシート１ｎが、挿入口ｇに臨む角部に切欠部ｋを形成したものであり、内面側のシート１ｎを構成する一対のシート部材１１同士が、切欠部ｋの縁に沿って相互に溶着されている。このため、収納空間ｓｐに収容された収容物が、外部にこぼれ出るようなことが好適に抑制されるものとなる。
【００４０】
用紙を二つ折りにしてなる見出し要素Ｍを、見出し用ポケットＰを構成する内面側のシート１ｎと外面側のシート２との間に配設し得るように構成されたものであり、外面側のシート２が、挿入口ｇを形成する部位に凹欠部２２を備えたものであり、この凹欠部２２から内面側のシート１ｎにおける切欠部ｋの角が露出し得るように構成されている。このため、見出し要素Ｍを切欠部ｋに係わり合わせて見出し用ポケットＰ内に円滑に挿入させることができるものとなる。
【００４１】
外面側のシート２が、透光性を有するものであるため、見出し要素Ｍを好適に視認し得るものとなっている。
【００４２】
ファイル本体１が、略矩形状をなす一対のシート部材１１間に形成された収納空間ｓｐを開閉し得るファスナー３を備えている。そして、ファスナー３により開放可能な一辺部である上辺部ｈ１に隣接した他辺部に沿って見出し用ポケットＰが設けられており、見出し用ポケットＰにおける反ファスナー側すなわち底辺部ｈ４側に、見出し要素Ｍを挿入し得る挿入口ｇが設けられている。このようなものであれば、見出し要素Ｍの挿脱が、ファスナー３の存在によって邪魔されることなく円滑に行えるものとなっている。
【００４３】
一対のシート部材１１同士が、折り曲げ線を介して一体に連設されてなるものであり、折り曲げ線が、ファイル本体１の底辺部ｈ４を構成するものであり、底辺部ｈ４に隣接したファイル本体１における左右の側辺部ｈ２、ｈ３が、一対のシート部材１１における側端部同士を溶着することにより形成されている。このため、ファイル本体１は、収容物がこぼれ出ない袋状の形態を好適に実現したものとなっている。
【００４４】
なお、本発明は、以上に詳述した実施形態に限られるものではない。
【００４５】
ファイル本体における開放可能な一辺部は適宜に設定され得るものであり、上辺部に限られるものではない。
【００４６】
見出し用ポケットは、一辺部以外の他辺部に沿って設けられたものであればよく、例えば、一辺部の反対側に位置する他辺部（一辺部が上辺部である場合には底辺部が該当する）に沿って設けられたものであってもよい。
【００４７】
また、一辺部は、開放可能に構成されていればよく、スライダーを有したファスナーを設けたものに限られるものでない。例えば、スライダーを有しないファスナーであってもよいし、スナップボタンを利用して一辺部を開閉可能に構成したものであってもよい。
【００４８】
見出し用ポケットは、少なくとも一端部に見出し要素を挿入し得る挿入口を備えていればよいが、両端部に挿入口を設けたものであってもよいのはもちろんのことである。
【００４９】
見出し用ポケットは、外面側のシート、及び、外面側のシート内に位置する内面側のシートによって形成されているものであればよい。例えば、見出し用ポケットは、ファイル本体の他辺部に位置してなり当該ファイル本体の一部を構成する外面側のシート、及び、当該外面側のシート内に位置する内面側のシートによって形成されたものであってもよい。他の見出し用ポケットとしては、例えば、他辺部に位置している一対のシート部材の一方側を内面側のシートとし、他方側を当該内面側シートの外側を覆う外面側のシートとして、内面側のシートと外面側のシートとの間に見出し要素を配することができるようにしたものであってもよい。
【００５０】
ファイル本体を構成する一対のシート部材は、必ずしも透光性を有したものでなくてもよい。
その他、各部の具体的構成についても上記実施形態に限られるものではなく、本発明の趣旨を逸脱しない範囲で種々変形が可能である。
【符号の説明】
【００５１】
Ａ…ファイル
１…ファイル本体
２…外面側のシート
３…ファスナー
１ｎ…内面側のシート
ｈ１…上辺部（一辺部）
ｈ３…右の側辺部（他辺部）
Ｍ…見出し要素
【図１】
2019030969.tif 000003
【図２】
2019030969.tif 000004
【図３】
2019030969.tif 000005
【図４】
2019030969.tif 000006
【図５】
2019030969.tif 000007
【図６】
2019030969.tif 000008
【図７】
2019030969.tif 000009
【図８】
2019030969.tif 000010
【図９】
2019030969.tif 000011